【事件の表示】
　特願２０１２−５０５９５４「対話的活動に関するユーザ体験を測定するための方法及びシステム」拒絶査定不服審判事件〔平成２２年１０月２８日国際公開、ＷＯ２０１０／１２３７７０、平成２４年１０月１１日国内公表、特表２０１２−５２４４５８〕について、次のとおり審決する。
【結　論】
　本件審判の請求は、成り立たない。
【理　由】
第１　手続の経緯及び本願発明
１　手続の経緯
　本件出願は、２０１０年（平成２２年）４月１６日（パリ条約による優先権主張外国庁受理２００９年４月１９日、米国）を国際出願日とする出願であって、平成２５年１１月２９日付けで拒絶理由の通知がなされ、これに対し、平成２６年６月４日付けで手続補正がなされたが、平成２６年７月１日付け（発送日同年７月７日）で拒絶査定がなされた。
　本件は、上記拒絶査定を不服として平成２６年１１月７日付けで請求された拒絶査定不服審判である。
 　 
２　本願発明
　本願の請求項２６に係る発明は、平成２６年６月４日付け手続補正により補正された特許請求の範囲、明細書及び図面の記載からみて、その特許請求の範囲の請求項２６に記載された事項によって特定されるものであり、次のとおりのものと認められる。
 　 
（Ａ）１以上のメンバーを含む視聴者のプレゼンテーションに対する反応の尺度をコンピュータシステムが求める方法であって、
（Ｂ）一定期間にわたって前記プレゼンテーションに曝される前記視聴者の個々のメンバーに対して、生体測定センサ装置が、前記一定期間中に前記プレゼンテーションに対する少なくとも１つの生体測定に基づく感情反応を測定し、
　個々の測定した生体測定に基づく感情反応を、前記一定期間における時点と関連付けて、メモリに記憶するステップと、
（Ｃ）一定期間にわたって前記プレゼンテーションに曝される前記視聴者の少なくとも１人のメンバーに対して、視標追跡センサ装置が前記プレゼンテーションの１以上の画像の、前記少なくとも１人の視聴者メンバーが見ている１以上の場所を判定し、
　前記場所の各々を、前記一定期間における時点と関連付けて、前記メモリに記憶するステップと、
（Ｄ）前記コンピュータシステムが、前記少なくとも１つのイベントウィンドウに対して、前記視聴者の少なくとも１つの生体測定感情視覚影響指数を、全ての前記視聴者メンバー及び前記凝視場所の前記測定した生体測定に基づく感情反応の関数として求めるステップと、
（Ｅ）前記コンピュータシステムが、前記少なくとも１つのイベントウィンドウの前記生体測定感情視覚影響指数を示す報告を作成するステップと、
（Ｆ）を含むことを特徴とする方法。
　　
（（Ａ）〜（Ｆ）は、当審で付与した。以下各構成要件を「構成要件Ａ」等という。）
　　
　上記構成要件Ｄにおける「前記少なくとも１つのイベントウィンドウ」は、この記載の前に「少なくとも１つのイベントウィンドウ」の記載はないから、「前記」は誤記と認められる。そうすると、本願の請求項２６に係る発明（以下「本願発明」という。）は、次のとおりのものと認められる。
　　
（本願発明）
（Ａ）１以上のメンバーを含む視聴者のプレゼンテーションに対する反応の尺度をコンピュータシステムが求める方法であって、
（Ｂ）一定期間にわたって前記プレゼンテーションに曝される前記視聴者の個々のメンバーに対して、生体測定センサ装置が、前記一定期間中に前記プレゼンテーションに対する少なくとも１つの生体測定に基づく感情反応を測定し、
　個々の測定した生体測定に基づく感情反応を、前記一定期間における時点と関連付けて、メモリに記憶するステップと、
（Ｃ）一定期間にわたって前記プレゼンテーションに曝される前記視聴者の少なくとも１人のメンバーに対して、視標追跡センサ装置が前記プレゼンテーションの１以上の画像の、前記少なくとも１人の視聴者メンバーが見ている１以上の場所を判定し、
　前記場所の各々を、前記一定期間における時点と関連付けて、前記メモリに記憶するステップと、
（Ｄ）前記コンピュータシステムが、少なくとも１つのイベントウィンドウに対して、前記視聴者の少なくとも１つの生体測定感情視覚影響指数を、全ての前記視聴者メンバー及び前記凝視場所の前記測定した生体測定に基づく感情反応の関数として求めるステップと、
（Ｅ）前記コンピュータシステムが、前記少なくとも１つのイベントウィンドウの前記生体測定感情視覚影響指数を示す報告を作成するステップと、
（Ｆ）を含むことを特徴とする方法。
　　
第２　刊行物１の記載事項及び刊行物１に記載された発明
１　刊行物１の記載事項
　原査定における拒絶の理由に引用された国際公開第２００８／０３０４９３号（以下「刊行物１」という。）には、「METHOD AND SYSTEM FOR DETERMING AUDIENCE RESPONSE TO ASENSORY STIMULUS」（発明の名称、訳：感覚的刺激への視聴者反応を決定する方法及び装置）に関し、図面と共に次に掲げる事項が記載されている。
（下線は当審が付与した。）
　　
（ア）「BACKGROUND
    The present invention is directed to 
a method
for exposing a sample population audiance to a presentation 
measuring the biologically based responses of the audience to the presentation and determining a measure of the level and pattern of intensity, synchrony and engagement of that audience to the presentation
［訳：発明の技術分野
　本発明は、
標本集団の視聴者をプレゼンテーション
に曝し、
方法
プレゼンテーションに対する視聴者の生物学に基づく反応を測定し、そして、プレゼンテーションに対する視聴者の強度、同調性、および関与についてのレベルの程度およびパターンを決定する
　　
（イ）「The present invention relates to a system and method for use in the field of audience measurement. Specifically, the invention is directed to a method and system for recording the biologically based audience responses to a presentation (for example, a live or recorded, passive or interactive audio, visual, audio-visual presentation) and for determining a measure of moment-to-moment and overall intensity, synchrony and engagement of the audience with that stimulus presentation. The measure of engagement of the sample population audience can then be used to estimate the level to which a population as a whole will be engaged by, or like or dislike, the same presentation.
 The measure of engagement of the audience when combined with eye-tracking technology can also be used to determine what elements of a presentation are most engaging relative to other elements in that or a similar presentation
［訳：本発明は、視聴者測定の分野での使用のためのシステムおよび方法に関する。具体的には、本発明は、プレゼンテーション（例えば、生または記録された受動的または対話型の聴覚、視覚、視聴覚のプレゼンテーション）に対する生物学に基づく視聴者の反応を記録するため、および、その刺激プレゼンテーションによる、視聴者の経時的および全体的な強度、同調性、および関与の程度を決定するための方法およびシステムに関連する。次いで標本集団の視聴者の関与の程度は、全体としての集団が同じプレゼンテーションに引き付けられるか、またはそれを好むか、もしくは好まないレベルを推定するために使用することができる。
視聴者の関与の程度は、視標の追跡技術と組み合わされると、プレゼンテーションのどの要素が、そのプレゼンテーションまたは類似のプレゼンテーションの他の要素に比べて最も引き付けるかを決定するためにも使用可能である
　　
（ウ）「Biometric response data can be gathered via a multi-sensor wearable body monitoring device that 
enables continuous collection of biologically based data that is time-stamped in order to correlate it to the presentation.
This sensor package can include a measure of skin conductivity (SC)
and can include any number of additional sensors to monitor responses such as
eye tracking
［訳：生体測定反応データは、複数センサ装着型監視デバイスを介して収集することができ、このデバイスは、
プレゼンテーションに相関させるための、タイムスタンプされた生物学に基づくデータの連続収集が可能である
このセンサパッケージは、皮膚導電性（ＳＣ）の程度を含むことができ
視標追跡
等の反応を監視するための追加のセンサをいかなる数でも含むことができる
　　
（エ）「Biologically based responses to passive and interactive presentations can be measured using various sensors affixed to the body to record various biological responses including but not limited to heart rate, respiration rate, motion, and skin conductivity. There are now multiple products and new technologies on the market that allow continuous unobtrusive monitoring of biologically based human responses, for example, many are often employed for health and fitness purposes. One product, offered under the name LifeShirt System (VivoMetrics, Ventura CA) is a state-of-the-art garment that is worn unobtrusively by a person being evaluated and can simultaneously collect pulmonary, cardiac, skin, posture and vocal information for later analysis. Another product, offered under the name SenseWear (BodyMedia, Pittsburgh PA) is an armband that simultaneously collects skin conductance, body temperature, motion, and heart rate. Also, a product offered under the name Tobii x50 Eye Tracker or Tobii 2150 (Tobii Technology, McLean VA) is a state-of-the-art eye-tracking device that 
allows for
monitoring of eye fixation location and fixation duration
By combining eye-tracking with other biologically based responses
the system can uniquely predict what specific elements within a complex sensory experience 
are triggering the response
［訳：受動的および対話型プレゼンテーションに対する生物学に基づく反応は、心拍数、呼吸速度、動作、および皮膚導電性を含むがこれらに限定されない様々な生物学的反応を記録するために体に取り付けられた様々なセンサを使用して測定することができる。現在、生物学に基づく人間の反応の、連続的で目立たない監視を可能とする多くの製品および新技術が市場にあり、例えば、多くは健康またはフィットネスを目的として使用されることが多い。ＬｉｆｅＳｈｉｒｔ　Ｓｙｓｔｅｍ（ＶｉｖｏＭｅｔｒｉｃｓ、Ｖｅｎｔｕｒａ　ＣＡ）の名称で提供されているある製品は、評価対象者により目立たずに装着され、肺、心臓、皮膚、姿勢、および声の情報を後の分析のために同時に収集することができる最新の衣服である。ＳｅｎｓｅＷｅａｒ（ＢｏｄｙＭｅｄｉａ、Ｐｉｔｔｓｂｕｒｇｈ　ＰＡ）の名称で提供されている他の製品は、皮膚コンダクタンス、体温、動作、および心拍数を同時に収集するアームバンドである。また、Ｔｏｂｉｉ　ｘ５０　Ｅｙｅ　ＴｒａｃｋｅｒまたはＴｏｂｉｉ　２１５０（Ｔｏｂｉｉ　Ｔｅｃｈｎｏｌｏｇｙ、ＭｃＬｅａｎ　ＶＡ）の名称で提供されている製品は、
目の凝視場所および凝視間隔を
監視することを可能にする
視標追跡を他の生物学に基づく反応と組み合わせることにより、システムは、複雑な感覚体験
内のどの特定の要素が反応の引き金となっているかを一意に予測することができる
　　
（オ）「In accordance with the present invention, a measure of the intensity of the response to the presentation over the period of exposure to the presentation and a measure of the synchrony of the response to the presentation over the period of exposure to the presentation can be determined from the biologically based responses. Further, 
the period of exposure can be divided into
event based units with a corresponding response value determined for and associated with each
 event window
［訳：本発明によれば、プレゼンテーションに対する曝露期間にわたる、プレゼンテーションに対する反応の強度の程度、およびプレゼンテーションに対する曝露期間にわたる、プレゼンテーションに対する反応の同調性の程度は、生物学に基づく反応から決定され得る。さらに、
曝露期間は、
イベントベースの単位に分割され
対応する反応値が
各
イベントウィンドウに対し決定され
　　
（カ）「
The system can include three time-locked or synchronized sources of data
a media presentation device
a response monitoring device for the collection of a plurality of biological responses to the presentation
an eye-tracking system
to determine the location and duration of pupil fixation plus facial responses
The response monitoring device and the eye-tracking system
can be time-locked or synchronized with the sensory stimulus so that the monitoring device and the eye-tracking system
can consistently record the biological responses that correspond to the same portions of the presentation
［訳：
システムは
メディアプレゼンテーションデバイス
プレゼンテーションに対する複数の生物学的反応の収集のための反応監視デバイス
瞳孔の凝視および顔面の反応の場所及び期間を決定するための、視標追跡システム
の３つのタイムロックまたは同調化されたデータのソースを含むことができる
反応監視デバイスおよび視標追跡システム
は、監視デバイスおよび視標追跡システム
が一致してプレゼンテーションの同じ部分に対応する生物学的反応を記録するように、感覚的刺激にタイムロックされるかまたは同調されることが可能である
　　
（キ）「FIGURE 1 shows a schematic diagram of an embodiment of the system according to the invention. Thepresentation is presented to the audience 12 via a display device 10, such as a video display screen or other commercially available technology for presenting the presentation to the test or sample audience 12. The presentation can include, but is not limited to, passive and interactive television, radio, movies, internet, gaming, and print entertainment and educational materials. The display device 10 can include but is not limited to a television, movie screen, a desk-top, hand-held or wearable computer device, gaming consol, home or portable music device or any other device for the presentation of passive or interactive audio, visual or audio-visual presentation. For the purposes of this invention, the test audience 12 can be a single individual who is monitored viewing the same content several times, or any small or large group defined by any number of parameters (e.g., demographics, level of interest, physiological or psychological profile). The test audience can be monitored using a biological monitoring system 12a for the collection of a plurality of biological responses time-locked to each other and the test stimulus. 
The system can include
eye-tracking system
The three data-sources (media stimulus, biological response data, and focus data) can be synchronized or time-locked and/or event-locked to each other whereby the response data collected is associated with a portion of the presentation and sent to a computer data processing device 16
The computer data processing device can be a general purpose computer or personal computer with a processor, memory and software for processing the biological response data and generating the intensity, synchrony and engagement values
The data processing device 16 can run software that includes the scoring algorithm to calculate the moment-to-moment, event-to-event or total level of engagement 
and delivers the results to a user-interface 18
The user interface 18 can be provided on a desktop or portable computer or a computer terminal that accesses data processor 16
The results can be interpreted and collected into a printed or electronic report 20 for distribution
［訳：図１は、本発明によるシステムの実施形態の説明図を示す。プレゼンテーションは、試験または標本視聴者１２にプレゼンテーションを提示するためのビデオ表示画面、または、他の市販の技術等の、表示デバイス１０を介して視聴者１２に提示される。プレゼンテーションは、受動的および対話型のテレビ、ラジオ、映画、インターネット、ゲーム、ならびに印刷されたエンターテイメントおよび教育資料を含むことができるが、これらに限定されない。表示デバイス１０は、テレビ、映画スクリーン、デスクトップ、ハンドヘルド型もしくは装着型コンピュータデバイス、ゲーム機、家庭用もしくは携帯型音楽デバイス、または、受動的もしくは対話型の聴覚、視覚、もしくは視聴覚プレゼンテーションの提示のための他のいかなるデバイスをも含むことができるが、これらに限定されない。本発明の目的のために、試験視聴者１２は、同じコンテンツを複数回視聴していることを監視されている１人の個人であってもよく、または、任意の数のパラメータ（例えば、人口統計、関心のレベル、生理学的または心理学的のプロファイル等）により定義される、小集団もしくは大集団であってもよい。試験視聴者は、互いに、および試験刺激にタイムロックされた複数の生物学的反応の収集のために、生物学的監視システム１２ａを使用して監視され得る。
システムは
視標追跡システム
を含む
３つのデータソース（メディア刺激、生物学的反応データ、および集中データ）は、互いに同調されるか、タイムロックおよび／もしくはイベントロックされ、それにより、収集された反応データはプレゼンテーションの一部と関連付けられ、コンピュータデータ処理デバイス１６に送信される
コンピュータデータ処理デバイスは、プロセッサ、メモリ、ならびに、生物学的反応を処理し、強度、同調性、および関与の値を生成するためのソフトウェアを備える汎用コンピュータまたはパソコンであってもよい
データ処理デバイス１６は、経時的な、イベント毎の、または総合的な関与のレベルを計算するためのスコア化アルゴリズムを含み、
結果をユーザインタフェース１８に送達するソフトウェアを実行することができる
ユーザインタフェース１８は
データプロセッサ１６にアクセスするデスクトップ若しくは携帯型のコンピュータまたはコンピュータ端末に提供することができる
結果は、解釈され、配布のために印刷された報告または電子報告２０内に収集され得る
　　
（ク）「As a result, 
for each person, a response map can be determined as a set of intensity values associated with each time
event
window during which each person was exposed to the presentation
The measure of intensity for the sample population can be determined by adding the measure of intensity associated with the same time window for each person exposed to the presentation
The result is a response time line that is the aggregate of the population sample
The response patterns for two or more biologically based responses
 can be combined
in a time window by time window basis to determine an overall intensity score or intensity time line
［訳：結果として、
各人物に対し、各人物がプレゼンテーションに反応した
イベント
ウィンドウと関連付けられた１組の強度値として反応マップを決定することができる
標本集団の強度の程度は、プレゼンテーションに曝された各人物の同じタイムウィンドウと関連付けられた強度の程度を加えることにより決定することができる
結果は、集団標本の集合である反応タイムラインである
２つ以上の生物学に基づく反応
の反応パターンをタイムウィンドウ毎のベースで組み合わせて
全体的な強度スコアまたは強度タイムラインを決定することができる
　　
２　刊行物１に記載された発明
　上記（ア）によると、刊行物１には、『標本集団の視聴者をプレゼンテーションに曝し、プレゼンテーションに対する視聴者の生物学に基づく反応を測定し、プレゼンテーションに対する視聴者の強度についてのレベルの程度およびパターンを決定する方法』が記載されている。
　上記（カ）によると、システムは、メディアプレゼンテーションデバイス、プレゼンテーションに対する複数の生物学的反応の収集のための反応監視デバイス、瞳孔の凝視場所及び期間を決定するための、視標追跡システムの３つのタイムロックまたは同調化されたデータのソースを含み、反応監視デバイスおよび視標追跡システムは、監視デバイスおよび視標追跡システムが一致してプレゼンテーションの同じ部分に対応する生物学的反応を記録するように、感覚的刺激にタイムロックされるかまたは同調されることが可能であり、上記（ウ）によると、監視デバイスはプレゼンテーションに相関させるための、タイムスタンプされた生物学に基づくデータの連続収集が可能であり、皮膚導電性及び視標追跡を監視するから、『生物学的反応の収集のための反応監視デバイスは、タイムスタンプされた、プレゼンテーションに対する皮膚導電性を収集し、瞳孔の凝視場所及び期間を決定するための、視標追跡システムは、タイムスタンプされた、プレゼンテーションに対する瞳孔の凝視場所を収集』することが、刊行物１には記載されている。
　上記（キ）によると、システムはコンピュータ処理デバイス１６を含み、３つのデータはコンピュータ処理デバイス１６に送信され、コンピュータ処理デバイス１６はイベント毎の関与のレベルを計算するためにスコア化アルゴリズムを含み、結果をコンピュータ処理デバイス１６にアクセスするコンピュータに提供し、結果を報告内に収集する。コンピュータ処理デバイス１６はコンピュータであってもよいから、コンピュータといえる。また、上記（ク）によると、イベントウィンドウと関連付けられた集団標本の強度を決定する。そうすると、刊行物１には、『コンピュータが、イベントウインドウに対して集団標本の皮膚導電性の強度、瞳孔の凝視場所を求め、他のコンピュータが結果を報告内に収集する』ことが記載されている。
　　
　以上まとめると、刊行物１には、次の発明（以下「刊行物１発明」という。）が記載されていると認められる。　
　　
（刊行物１発明）
（ａ）標本集団の視聴者をプレゼンテーションに曝し、プレゼンテーションに対する視聴者の生物学に基づく反応を測定し、プレゼンテーションに対する視聴者の強度についてのレベルの程度およびパターンを決定する方法であって、
（ｂ）生物学的反応の収集のための反応監視デバイスは、タイムスタンプされた、プレゼンテーションに対する皮膚導電性を収集し、
（ｃ）瞳孔の凝視場所及び期間を決定するための、視標追跡システムは、タイムスタンプされた、プレゼンテーションに対する瞳孔の凝視場所を収集し、
（ｄ）コンピュータが、イベントウインドウに対して集団標本の皮膚導電性の強度、瞳孔の凝視場所を求め、他のコンピュータが結果を報告内に収集する、
（ｅ）方法。　　
　　
　なお、（ａ）〜（ｅ）は、構成を識別するために付与した。以下各構成を「構成ａ」等という。
　　
第３　対比
１　対比
　本願発明と刊行物１発明とを対比する。
　　
（１）構成要件Ａと構成ａとを対比する。
　構成ａにおける「標本集団の視聴者」は、構成要件Ａにおける「１以上のメンバーを含む視聴者」に相当する。構成ａにおける「プレゼンテーションに対する視聴者の生物学に基づく反応を測定し、プレゼンテーションに対する視聴者の強度」を「決定」することは、構成要件Ａにおける「プレゼンテーションに対する反応の尺度を」「求める」ことに相当する。刊行物１発明は、構成ｄにおいて「コンピュータ」が強度を求めているから、刊行物１発明は、「コンピュータシステム」が強度を求めているといえる。
　したがって、本願発明と刊行物１発明とは「１以上のメンバーを含む視聴者のプレゼンテーションに対する反応の尺度をコンピュータシステムが求める方法」として一致する。
　　
（２）構成要件Ｂと構成ｂとを対比する。
　構成ｂにおける「反応監視デバイス」は、構成要件Ｂにおける「生体測定センサ装置」に相当する。
　刊行物１発明は構成ａのとおり、「標本集団の視聴者をプレゼンテーションに曝し、」「プレゼンテーションに対する視聴者の強度」「を決定する」ものであり、プレゼンテーションは、一定期間にわたるものであるから、刊行物１発明は、「一定期間にわたって前記プレゼンテーションに曝される前記視聴者の個々のメンバーに対」するものといえる。
　構成ｂにおける「皮膚導電性」は、本願明細書の段落【００２９】における「（例えば、皮膚コンダクタンス、心拍数及び呼吸によって測定した）強い感情反応」の記載、段落【０１１１】における「皮膚コンダクタンス、心拍数及び呼吸反応の１又はそれ以上などの感情反応（値又は振幅の値、振幅又は変化率）」の記載から見て、本願発明の「感情反応」に相当する。
　また、構成ｂにおける「タイムスタンプされた、プレゼンテーションに対する皮膚導電性を収集」することは、「個々の測定した生体測定に基づく感情反応を、前記一定期間における時点と関連付けるステップ」として本願発明と共通する。
　しかしながら、本願発明においては、「個々の測定した生体測定に基づく感情反応を、前記一定期間における時点と関連付けて、
メモリに記憶する
　以上まとめると、本願発明と刊行物１発明とは、
「一定期間にわたって前記プレゼンテーションに曝される前記視聴者の個々のメンバーに対して、生体測定センサ装置が、前記一定期間中に前記プレゼンテーションに対する少なくとも１つの生体測定に基づく感情反応を測定し、個々の測定した生体測定に基づく感情反応を、前記一定期間における時点と関連付けるステップ」として共通する。
　しかしながら、「個々の測定した生体測定に基づく感情反応を、前記一定期間における時点と関連付ける」ことが、本願発明においては「個々の測定した生体測定に基づく感情反応を、前記一定期間における時点と関連付けて、
メモリに記憶する
　　
（３）構成要件Ｃと構成ｃとを対比する。
　構成ｃにおける「視標追跡システム」は、構成要件Ｃにおける「視標追跡センサ装置」に相当し、構成ｃにおける「瞳孔の凝視場所を決定する」ことは、構成要件Ｃにおける「前記プレゼンテーションの１以上の画像の、前記少なくとも１人の視聴者メンバーが見ている１以上の場所を判定」することに相当する。
　「一定期間にわたって前記プレゼンテーションに曝される前記視聴者の少なくとも１人のメンバーに対して」については上記（２）のとおりである。
　また、構成ｃにおける「タイムスタンプされた、プレゼンテーションに対する瞳孔の凝視場所を収集」することは、「前記場所の各々を、前記一定期間における時点と関連付ける」ることで本願発明と共通する。
　しかしながら、本願発明においては、「前記場所の各々を、前記一定期間における時点と関連付け
て、前記メモリに記憶す
　以上まとめると、本願発明と刊行物１発明とは、
「一定期間にわたって前記プレゼンテーションに曝される前記視聴者の少なくとも１人のメンバーに対して、視標追跡センサ装置が前記プレゼンテーションの１以上の画像の、前記少なくとも１人の視聴者メンバーが見ている１以上の場所を判定し、前記場所の各々を、前記一定期間における時点と関連付けるステップ」として共通する。
　しかしながら、「前記場所の各々を、前記一定期間における時点と関連付ける」ことが、本願発明においては「前記場所の各々を、前記一定期間における時点と関連付けて、
前記メモリに記憶する
　　
（４）構成要件Ｄと構成ｄとを対比する。
　構成ｄにおける「コンピュータ」は、構成要件Ｄにおける「前記コンピュータシステム」に相当する。
　構成ｄにおける「イベントウインドウに対して集団標本の皮膚導電性の強度、瞳孔の凝視場所を求め」ることは、「少なくとも１つのイベントウィンドウに対して、全ての前記視聴者メンバーにおける前記凝視場所、前記測定した生体測定に基づく感情反応を求めるステップ」として、本願発明と共通する。
　しかしながら、本願発明においては、「
前記視聴者の少なくとも１つの生体測定感情視覚影響指数を、
及び
の関数として
　　
（５）構成要件Ｅと構成ｄとを対比する。
　構成ｄにおいては「他のコンピュータが結果を報告内に収集する」ものであり、「前記少なくとも１つのイベントウィンドウの報告を作成するステップ」として本願発明と共通する。
　しかしながら、「前記少なくとも１つのイベントウィンドウの報告を作成する」主体が、本願発明のおいては「前記コンピュータシステム」であるのに対し、刊行物１発明においては、「他のコンピュータ」であり、「報告」が、本願発明においては、「前記生体測定感情視覚影響指数を示す」ものであるのに対し、刊行物１発明においては、「前記生体測定感情視覚影響指数を示す」ものでない点で相違する。
　　
（６）構成要件Ｆと構成ｅとを対比すると、「を含むことを特徴とする方法」として一致する。
　　
２　一致点、相違点
　以上より、本願発明と刊行物１発明との一致点、相違点は、次のとおりである。
　　
（一致点）
　１以上のメンバーを含む視聴者のプレゼンテーションに対する反応の尺度をコンピュータシステムが求める方法であって、
　一定期間にわたって前記プレゼンテーションに曝される前記視聴者の個々のメンバーに対して、生体測定センサ装置が、前記一定期間中に前記プレゼンテーションに対する少なくとも１つの生体測定に基づく感情反応を測定し、
　個々の測定した生体測定に基づく感情反応を、前記一定期間における時点と関連付けるステップと、
　一定期間にわたって前記プレゼンテーションに曝される前記視聴者の少なくとも１人のメンバーに対して、視標追跡センサ装置が前記プレゼンテーションの１以上の画像の、前記少なくとも１人の視聴者メンバーが見ている１以上の場所を判定し、
　前記場所の各々を、前記一定期間における時点と関連付けるステップと、
　前記コンピュータシステムが、少なくとも１つのイベントウィンドウに対して、全ての前記視聴者メンバーにおける前記凝視場所、前記測定した生体測定に基づく感情反応を求めるステップと、
　前記少なくとも１つのイベントウィンドウの報告を作成するステップと、
を含むことを特徴とする方法。
（相違点１）
「個々の測定した生体測定に基づく感情反応を、前記一定期間における時点と関連付けるステップ」における「関連付ける」が、本願発明のおいては「関連付けて、メモリに記憶する」のに対し、刊行物１発明は「メモリに記憶する」か不明である点
（相違点２）
「前記場所の各々を、前記一定期間における時点と関連付けるステップ」における「関連付ける」が、本願発明のおいては「関連付けて、メモリに記憶する」のに対し、刊行物１発明は「メモリに記憶する」か不明である点
（相違点３）
「前記コンピュータシステムが、少なくとも１つのイベントウィンドウに対して、全ての前記視聴者メンバーにおける前記凝視場所、前記測定した生体測定に基づく感情反応求めるステップ」が、本願発明においては、
「前記コンピュータシステムが、少なくとも１つのイベントウィンドウに対して、
前記視聴者の少なくとも１つの生体測定感情視覚影響指数を、
及び
の
の関数として
（相違点４）
「前記少なくとも１つのイベントウィンドウの報告を作成するステップ」の主体が、本願発明においては、「前記コンピュータシステム」であるのに対し、刊行物１発明においては、「他のコンピュータ」であり、
「報告」が、本願発明においては、「前記生体測定感情視覚影響指数を示す」ものであるのに対し、刊行物１発明においては、「前記生体測定感情視覚影響指数を示す」ものでない点
　　
第４　判断
１　相違点１、相違点２について
　データを処理する際に、データをメモリに記憶することは普通のことであり、刊行物１発明において、「個々の測定した生体測定に基づく感情反応を、前記一定期間における時点と関連付けて、メモリに記憶する」、「前記場所の各々を、前記一定期間における時点と関連付けて、前記メモリに記憶する」ことは、当業者が容易になし得ることである。
　　
２　相違点３について
　上記第２の１（イ）のとおり、刊行物１には、「視聴者の関与の程度は、視標の追跡技術と組み合わされると、プレゼンテーションのどの要素が、そのプレゼンテーションまたは類似のプレゼンテーションの他の要素に比べて最も引き付けるかを決定するためにも使用可能である」ことが記載されており、刊行物１発明において、視標追跡システムが収集した瞳孔の凝視場所と感情反応である皮膚導電性の強度とを関係づけることは当業者が容易に想到することである。
　そして、感情反応である皮膚導電性の強度と凝視場所とを対応させることは、関数として求めることといえ、この関数は、生体測定感情と凝視場所に関するものであるから、生体測定感情視覚影響指数といえる。
　したがって、刊行物１発明において、「前記視聴者の少なくとも１つの生体測定感情視覚影響指数を、全ての前記視聴者メンバー及び前記凝視場所の前記測定した生体測定に基づく感情反応の関数として求める」ようにすることは、当業者が容易に想到し得ることである。
　　
３　相違点４について
　刊行物１発明においては、報告を作成するのは「他のコンピュータ」であるが、報告は「コンピュータ」であれば作成できることは明らかであって、刊行物１発明において、「前記コンピュータ」が報告を作成するようにすることは、当業者が容易に想到し得ることであり、その際、上記２において検討したように、生体測定感情視覚指数を関数として求めたものを報告することになるから、当該生体測定感情視覚指数を報告するものとなる。
　　
４　効果について
　本願発明が奏する効果は、その容易想到である構成から当業者が容易に予測し得る範囲内のものであり、同範囲を超える顕著なものでもない。
　　
第５　むすび
　以上のとおり、本願の請求項２６に係る発明は、刊行物１に記載された発明に基づいて当業者が容易に発明をすることができたものであるから、特許法２９条２項の規定により特許を受けることができない。 
　　
　したがって、本願は、他の請求項について検討するまでもなく、拒絶すべきものである。
　　
　よって、結論のとおり審決する。